(57)【要約】【課題】車両等に搭載される内燃機関のエミッションの一層の良化を図る。【解決手段】同一の気筒に供給するべき燃料を複数のインジェクタ１１１、１１２から噴射する内燃機関を制御するものであり、複数のインジェクタ１１１、１１２のうちの何れから当該気筒に対して燃料を噴射するかを当該気筒のサイクル毎に切り替え、それら複数のインジェクタ１１１、１１２が同時に燃料を噴射しないようにする内燃機関の制御装置を構成した。【選択図】図３
2020139410.tif 000002
【特許請求の範囲】
【請求項１】
同一気筒に供給するべき燃料を複数のインジェクタから噴射する内燃機関を制御するものであり、
複数のインジェクタのうちの何れから当該気筒に対して燃料を噴射するかを当該気筒のサイクル毎に切り替え、それら複数のインジェクタが同時に燃料を噴射しないようにする内燃機関の制御装置。
【発明の詳細な説明】
【技術分野】
【０００１】
本発明は、車両等に搭載される内燃機関の燃料噴射を制御する制御装置に関する。
【背景技術】
【０００２】
周知の通り、ポート噴射式の内燃機関（例えば、下記特許文献１を参照）では、インジェクタから気筒の吸気ポートに向けて燃料を噴射し、燃料を予め吸気通路を流れる吸入空気と予混合して気化させた上で、気筒の燃焼室に吸引させる。
【０００３】
近時では、燃焼効率の一層の向上を目論み、一つの気筒に対して二基のインジェクタから燃料を噴射するデュアルインジェクタエンジンの採用が進んでいる（例えば、下記特許文献２を参照）。
【先行技術文献】
【特許文献】
【０００４】
【特許文献１】特開２０１６−１８３５８３号公報
【特許文献２】特開２０１８−１３５８３１号公報
【発明の概要】
【発明が解決しようとする課題】
【０００５】
インジェクタから噴出した燃料の一部は、気化せず液状のままで吸気ポートの内壁面や吸気バルブの弁体の傘部、気筒の燃焼室の天井部、シリンダボア等に付着する。そして、そのポートウェットの燃料が、気筒の燃焼室内に流下して侵入することが起こり得る。
【０００６】
燃焼室内で依然として液相を保っている燃料の液滴は、プール燃焼して粒子状物質（Ｐａｒｔｉｃｕｌａｔｅ  Ｍａｔｔｅｒ）を生成したり、局所的に空燃比をリッチ化させたりして、エミッションを悪化させる要因となる。
【０００７】
本発明は、車両等に搭載される内燃機関のエミッションの一層の良化を図ることを所期の目的としている。
【課題を解決するための手段】
【０００８】
上述した課題を解決するべく、本発明では、同一気筒に供給するべき燃料を複数のインジェクタから噴射する内燃機関を制御するものであり、複数のインジェクタのうちの何れから当該気筒に対して燃料を噴射するかを当該気筒のサイクル毎に切り替え、それら複数のインジェクタが同時に燃料を噴射しないようにする内燃機関の制御装置を構成した。
【０００９】
あるインジェクタから噴出した液状燃料が付着する箇所と、他のインジェクタから噴出した液状燃料が付着する箇所とは相異なる。各インジェクタは毎サイクル燃料を噴射しないことから、同一箇所に毎サイクル反復して液状燃料が重ね塗りさせるようなことは回避され、大きな液滴に成長しない。しかも、一基のインジェクタから燃料を噴射するインターバルとして一サイクル分以上確保されるので、付着した液状燃料が蒸発し気化する時間的余裕が与えられ、比較的少量の小さな液滴であれば気化して支障なく燃焼させることができる。ひいては、気筒の燃焼室内に液相燃料の大きな液滴を発生させずに済む。
【発明の効果】
【００１０】
本発明によれば、車両等に搭載される内燃機関のエミッションを一層良化させることができる。
【図面の簡単な説明】
【００１１】
【図１】本発明の一実施形態における内燃機関及び制御装置の概略構成を示す図。
【図２】デュアルインジェクタ型のポート噴射式内燃機関の吸気通路、インジェクタ、吸気ポート及び燃焼室を模式的に示す斜視図。
【図３】同実施形態の制御装置が制御する燃料噴射タイミングを示すタイミング図。
【図４】従来のデュアルインジェクタ型の内燃機関の制御における燃料噴射タイミングを示すタイミング図。
【発明を実施するための形態】
【００１２】
本発明の一実施形態を、図面を参照して説明する。図１に、本実施形態における車両用内燃機関の概要を示す。本実施形態における内燃機関は、火花点火式の４ストロークガソリンエンジンであり、複数の気筒１（例えば、三気筒。図１には、そのうち一つを図示している）を具備している。４ストロークエンジンでは、気筒１の吸気行程−圧縮行程−膨脹行程−排気行程の一連を一サイクルとする。
【００１３】
各気筒１の吸気バルブ１３よりも上流、各気筒１に連なる吸気ポートの近傍には、吸気ポートに向けて燃料を噴射するインジェクタ１１１、１１２を設ける。本実施形態では、一つの気筒１に対して二基のインジェクタ１１１、１１２から燃料を噴射するデュアルインジェクタ型の内燃機関を想定している。図２に示すように、各気筒１にはそれぞれ二つの吸気ポートを形成し、各吸気ポートにこれを開閉する吸気バルブ１３を配し、かつ各吸気ポートのそれぞれに臨むインジェクタ１１１、１１２を設置している。
【００１４】
また、各気筒１の燃焼室の天井部に、点火プラグ１２を取り付けてある。点火プラグ１２は、点火コイルにて発生した誘導電圧の印加を受けて、中心電極と接地電極との間で火花放電を起こすものである。点火コイルは、半導体スイッチング素子であるイグナイタとともに、コイルケースに一体的に内蔵される。
【００１５】
吸気を気筒１に供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１６】
排気を気筒１から排出するための排気通路４は、気筒１内で燃料を燃焼させたことで生じる排気を各気筒１の排気ポートから外部へと導く。この排気通路４上には、排気マニホルド４２及び排気浄化用の三元触媒４１を配置している。
【００１７】
排気ガス再循環（Ｅｘｈａｕｓｔ  Ｇａｓ  Ｒｅｃｉｒｃｕｌａｔｉｏｎ）装置２は、いわゆる高圧ループＥＧＲを実現するものであり、排気通路４における触媒４１の上流側と吸気通路３におけるスロットルバルブ３２の下流側とを連通する外部ＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。ＥＧＲ通路２１の入口は、排気通路４における排気マニホルド４２またはその下流の所定箇所に接続している。ＥＧＲ通路２１の出口は、吸気通路３におけるスロットルバルブ３２の下流の所定箇所、特にサージタンク３３に接続している。
【００１８】
内燃機関には、各気筒１の吸気バルブ１３の開閉タイミングを変化させることのできる可変バルブタイミング（Ｖａｒｉａｂｌｅ  Ｖａｌｖｅ  Ｔｉｍｉｎｇ）機構５が付随することがある。ＶＶＴ機構５は、例えば、各気筒１の吸気バルブ１３を駆動するカムシャフトのクランクシャフトに対する回転位相を作動液圧（潤滑油圧）や電動機によって変化させ、以て吸気バルブ１３の開閉タイミングを進角／遅角するものである。カムシャフトは、内燃機関の出力軸であるクランクシャフトからエンジントルクの供給を受け、クランクシャフトに従動して回転する。クランクシャフトとカムシャフトとの間には、トルクを伝達するための巻掛伝動装置（図示せず）が介在している。巻掛伝動装置は、クランクシャフト側に設けたクランクスプロケット（または、プーリ）と、カムシャフト側に設けたカムスプロケット（または、プーリ）と、これらスプロケット（または、プーリ）に巻き掛けるタイミングチェーン（または、タイミングベルト）とを要素とする。ＶＶＴ機構５は、カムシャフトをカムスプロケットに対し相対的に回動させることを通じて、カムシャフトのクランクシャフトに対する回転位相を変化させ、以て吸気バルブ１３の開閉タイミングを変更する。
【００１９】
尤も、ＶＶＴ機構５の具体的態様は任意であり、一意に限定されない。カムシャフトのクランクシャフトに対する回転位相を進角／遅角させるもの以外にも、吸気バルブ１３を開弁駆動するカムを複数用意しておきそれらカムを適宜使い分けるもの、ロッカーアームのレバー比を電動機を介して変化させるもの、吸気バルブ１３を電磁ソレノイドバルブとしたもの等が知られており、それら種々の機構の中から選択して採用することが許される。
【００２０】
本実施形態の内燃機関の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。ＥＣＵ０は、複数基のＥＣＵまたはコントローラが、ＣＡＮ（Ｃｏｎｔｒｏｌｌｅｒ  Ａｒｅａ  Ｎｅｔｗｏｒｋ）等の電気通信回線を介して相互に通信可能に接続されてなるものであることがある。
【００２１】
ＥＣＵ０の入力インタフェースには、車両の実車速を検出する車速センサから出力される車速信号ａ、クランクシャフトの回転角度及びエンジン回転数を検出するクランク角センサから出力されるクランク角信号ｂ、アクセルペダルの踏込量またはスロットルバルブ３２の開度をアクセル開度（いわば、要求されるエンジン負荷率）として検出するセンサから出力されるアクセル開度信号ｃ、内燃機関の冷却水温を検出する水温センサから出力される冷却水温信号ｄ、吸気通路３（特に、サージタンク３３）内の吸気温及び吸気圧を検出する温度・圧力センサから出力される吸気温・吸気圧信号ｅ、ブレーキペダルが踏まれていることまたはブレーキペダルの踏込量を検出するセンサ（ブレーキスイッチやマスタシリンダ圧センサ等）から出力されるブレーキ信号ｆ、吸気カムシャフトの複数のカム角にてカム角センサから出力されるカム角信号ｇ、大気圧を検出する大気圧センサから出力される大気圧信号ｈ等が入力される。
【００２２】
ＥＣＵ０の出力インタフェースからは、火花点火装置のイグナイタに対して点火信号ｉ、インジェクタ１１１に対して燃料噴射（開弁）信号ｊ１、インジェクタ１１２に対して燃料噴射（開弁）信号ｊ２、スロットルバルブ３２に対して開度操作信号ｋ、ＥＧＲバルブ２３に対して開度操作信号ｌ、ＶＶＴ機構５に対して吸気バルブタイミングの制御信号ｍ等を出力する。
【００２３】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、現在の内燃機関の運転領域［エンジン回転数，アクセル開度（または、サージタンク３３内吸気圧、気筒１に吸入される空気（新気）量）］を知得する。そして、吸入空気量に見合った要求燃料噴射量、燃料噴射タイミング（一度の燃焼に対する燃料噴射の回数を含む）、燃料噴射圧、点火タイミング、要求ＥＧＲ率（または、ＥＧＲガス量）、吸気バルブ１３の目標開閉タイミング等といった各種運転パラメータを決定する。ＥＣＵ０は、運転パラメータに対応した各種制御信号ｉ、ｊ１、ｊ２、ｋ、ｌ、ｍを出力インタフェースを介して印加する。
【００２４】
また、ＥＣＵ０は、停止した内燃機関を始動（冷間始動であることもあれば、アイドルストップからの再始動であることもある）するにあたり、電動機（スタータモータまたはＩＳＧ（Ｉｎｔｅｇｒａｔｅｄ  Ｓｔａｒｔｅｒ  Ｇｅｎｅｒａｔｏｒ））を稼働させるための制御信号ｏを電動機に入力し、当該電動機によりクランクシャフトを回転駆動するクランキングを行う。内燃機関の始動のためのクランキングは、内燃機関が初爆から連爆へと至り、加速するエンジン回転数が完爆判定値を超えたときに、完爆したものと見なして終了する。クランキングの終了条件となる完爆判定値は、内燃機関の冷却水温が低いほど高く設定する。
【００２５】
図４に示すように、従来のデュアルインジェクタ型の内燃機関の制御では、同一気筒１に対し、二基のインジェクタ１１１、１１２から、毎サイクル（即ち、当該気筒１が吸気行程を迎え都度）同時に開弁して燃料を噴射する。各インジェクタ１１１、１１２が噴射する燃料の量はそれぞれ、運転者の操作するアクセル開度により示される要求エンジントルクを達成するために必要な要求燃料噴射量の約半分であり、両インジェクタ１１１、１１２の噴射燃料を合算したものが当該気筒１に供給される。
【００２６】
一方のインジェクタ１１１が噴射する燃料の一部は、液状のポートウェットとして吸気ポートの内壁面や吸気バルブ１３の弁体の傘部等に付着する。インジェクタ１１１が毎サイクル燃料を噴射することから、ポートウェットの付着箇所には毎サイクル新たな液状燃料が塗り重ねられることとなる。その帰結として、液相燃料の大きな液滴が発生し、これが気筒１の燃焼室内に流下して侵入することが起こり得る。
【００２７】
同様に、他方のインジェクタ１１２が噴射する燃料の一部もまた、液状のポートウェットとして吸気ポートの内壁面や吸気バルブ１３の弁体の傘部等に付着する。他方のインジェクタ１１２から噴出する液状燃料が付着する箇所は、一方のインジェクタ１１１から噴出する液状燃料が付着する箇所からはずれている。だが、インジェクタ１１２が毎サイクル燃料を噴射することで、やはりそのポートウェットの付着箇所に毎サイクル新たな液状燃料が塗り重ねられることとなる。その帰結として、液相燃料の大きな液滴が発生し、これが気筒１の燃焼室内に流下して侵入することが起こり得る。
【００２８】
気筒１の燃焼室内で気化せず液相を保っている液滴燃料はプール燃焼を生じさせ、または蒸し焼きのような様相を呈して、ＰＭを生成する原因となる。また、燃焼室内で局所的に空燃比をリッチ化させ、ＨＣ、ＣＯ等の有害物質の排出量を増大させることにも繋がる。この問題は、特に、冷間始動直後の時期のような、内燃機関の温度が比較的低い状況下にて顕在化する。当然ながら、内燃機関が低温であるほど、付着した液状燃料が気化しにくい。既に暖機が完了しており内燃機関が十分に高温であるならば、液状燃料が一旦付着したとしてもそれは容易に気化する。
【００２９】
そこで、図３に示すように、本実施形態のＥＣＵ０は、同一気筒１に対して燃料を供給する複数のインジェクタ１１１、１１２のうちの何れから燃料を噴射するかを当該気筒１のサイクル毎に切り替え、それら複数のインジェクタ１１１、１１２が同時に燃料を噴射しないように制御を行う。
【００３０】
具体的には、対象の気筒１の今回のサイクルでは一方のインジェクタ１１１のみから燃料を噴射して他方のインジェクタ１１２からは燃料を噴射せず、同気筒１の次回のサイクルでは他方のインジェクタ１１２のみから燃料を噴射して一方のインジェクタ１１１からは燃料を噴射せず、同気筒１の次々回のサイクルでは再び一方のインジェクタ１１１のみから燃料を噴射して他方のインジェクタ１１２からは燃料を噴射せず、……、というように、一方のインジェクタ１１１による燃料噴射と他方のインジェクタ１１２による燃料噴射とを交互に繰り返すようにする。各インジェクタ１１１、１１２が噴射する燃料の量はそれぞれ、要求エンジントルクを達成するために必要な要求燃料噴射量に相当する。
【００３１】
さすれば、短時間の間で特定の箇所に液状燃料が繰り返し付着し堆積して大きな液滴に成長することが回避される。一方のインジェクタ１１１は一サイクルおきに燃料を噴射するので、同インジェクタ１１１から噴出し吸気ポートの内壁面等に付着した液状燃料には、一サイクル分以上の間、蒸発し気化するための時間的猶予が与えられる。他方のインジェクタ１１２もまた一サイクルおきに燃料を噴射するので、同インジェクタ１１２から噴出し吸気ポートの内壁面等に付着した液状燃料には、一サイクル分以上の間、蒸発し気化するための時間的猶予が与えられる。少量の燃料からなる粒の小さな液滴であれば、蒸発して気化しやすく、ＰＭの生成その他エミッションへの悪影響を招かずに済む。
【００３２】
本実施形態では、同一気筒１に供給するべき燃料を複数のインジェクタ１１１、１１２から噴射する内燃機関を制御するものであり、複数のインジェクタ１１１、１１２のうちの何れから当該気筒１に対して燃料を噴射するかを当該気筒１のサイクル毎に切り替え、それら複数のインジェクタ１１１、１１２から同時に燃料を噴射させない内燃機関の制御装置０を構成した。各インジェクタ１１１、１１２は、吸気ポートの内壁面等に薄く液状燃料を付着させるような態様で燃料噴射を遂行する。
【００３３】
本実施形態によれば、大きな液相燃料の液滴が気筒１の燃焼室内に侵入することを抑止することができる。従って、気化せず液相のまま溜まった燃料が燃焼室内でプール燃焼することが防止され、ＰＭの生成量を削減できる。加えて、燃焼室内で局所的に空燃比がリッチ化することも避けられる。その帰結として、ＰＭやＨＣ等の有害物質の排出量を低減でき、エミッションの良化が達成される。
【００３４】
本実施形態の制御装置０による燃料噴射制御は、新たなハードウェアの追加や改変等を伴わずに実施できる。また、ＰＭの生成を効果的に抑制できることから、内燃機関の排気通路４にＰＭ捕集用のフィルタ等を装着する必要がなく、ハードウェアの肥大化やコストの高騰を招来しない。フィルタを装着することに伴う背圧の増大、及びこれに起因する内燃機関の性能の低下も避けられる。
【００３５】
なお、本発明は以上に詳述した実施形態に限られるものではない。例えば、燃料噴射のタイミング即ちインジェクタ１１１、１１２の開弁タイミングは、通常、気筒１の吸気バルブ１３が開弁する直前、開弁と同時または開弁の直後であるが、吸気バルブ１３が未だ閉弁している段階でインジェクタ１１１、１１２を開弁し燃料を噴射してもよい。
【００３６】
その他、各部の具体的構成は、本発明の趣旨を逸脱しない範囲で種々変形が可能である。
【産業上の利用可能性】
【００３７】
本発明は、車両等に搭載される内燃機関の制御に利用することができる。
【符号の説明】
【００３８】
０…制御装置（ＥＣＵ）
１…気筒
１１１、１１２…インジェクタ
１３…吸気バルブ
３…吸気通路
ｊ１、ｊ２…燃料噴射信号
【図１】
2020139410.tif 000003
【図２】
2020139410.tif 000004
【図３】
2020139410.tif 000005
【図４】
2020139410.tif 000006